(57)【要約】【課題】室内空間での空気攪拌手段として有効であって、容易に設置することが可能となる送風機の提供。【解決手段】室内空間１２に露出する太陽電池からなる羽根部２３を有するファン１６と、ファン１６を駆動するモータ１７と、太陽電池が発電した電力を蓄電する蓄電池とを有し、太陽電池が発電した電力のみでモータ１７が作動する。【選択図】図１
2012158989.tif 000002
【特許請求の範囲】
【請求項１】
室内空間に露出する羽根部を有するファンと、
該ファンを駆動するモータと、
太陽電池と、
該太陽電池が発電した電力を蓄電する蓄電池とを有し、
前記太陽電池が発電した電力のみで前記モータが作動することを特徴とする送風機。
【請求項２】
前記ファンに前記太陽電池が設けられていることを特徴とする請求項１記載の送風機。
【請求項３】
前記モータへの給電状態を切り替えるスイッチ手段と、
前記蓄電池への充電を制御する充電制御手段とを有し、
該充電制御手段は、前記スイッチ手段により前記モータへの給電が停止状態にあるとき、前記太陽電池の電力を前記蓄電池に充電することを特徴とする請求項１または２記載の送風機。
【請求項４】
前記モータのロータに前記羽根部が一体に形成されていることを特徴とする請求項１乃至３のいずれか一項記載の送風機。
【発明の詳細な説明】
【技術分野】
【０００１】
本発明は、空気のよどみを解消する送風機に関する。
【背景技術】
【０００２】
蛍光ランプが取り付けられた装置本体と、光触媒膜が形成されたセードとを有する照明器具において、太陽電池が発生する電力で装置本体とセードとの間のファンを駆動するものがある（例えば、特許文献１参照）。
【先行技術文献】
【特許文献】
【０００３】
【特許文献１】特開２００６−７９９１５号公報
【発明の概要】
【発明が解決しようとする課題】
【０００４】
上記の照明器具は、蛍光ランプを点灯するための電力供給を商用電源から受けるものであり、この電力供給用の配線工事が必要であって、容易に設置することはできない。また、ファンを内蔵しているが、あくまで装置本体とセードとの間の空気を攪拌するためのものであって、室内空間での空気攪拌手段として有効ではない。
【０００５】
したがって、本発明は、室内空間での空気攪拌手段として有効であって、容易に設置することが可能となる送風機の提供を目的とする。
【課題を解決するための手段】
【０００６】
上記目的を達成するために、請求項１に係る発明は、室内空間に露出する羽根部を有するファンと、該ファンを駆動するモータと、太陽電池と、該太陽電池が発電した電力を蓄電する蓄電池とを有し、前記太陽電池が発電した電力のみで前記モータが作動することを特徴としている。
【０００７】
請求項２に係る発明は、請求項１に係る発明において、前記ファンに前記太陽電池が設けられていることを特徴としている。
【０００８】
請求項３に係る発明は、請求項１または２に係る発明において、前記モータへの給電状態を切り替えるスイッチ手段と、前記蓄電池への充電を制御する充電制御手段とを有し、該充電制御手段は、前記スイッチ手段により前記モータへの給電が停止状態にあるとき、前記太陽電池の電力を前記蓄電池に充電することを特徴としている。
【０００９】
請求項４に係る発明は、請求項１乃至３のいずれか一項に係る発明において、前記モータのロータに前記羽根部が一体に形成されていることを特徴としている。
【発明の効果】
【００１０】
請求項１に係る発明によれば、ファンが室内空間に露出しているため、室内空間での空気攪拌手段として有効となり、効果的に室内空間の空気のよどみを解消することができる。また、太陽電池が発電した電力のみでモータが作動するため、商用電源等の外部電源からの電力供給用の配線工事が不要となる。これにより、容易に設置することが可能となる。その結果、例えば複数機の設置が容易に可能となり、設置場所の自由度が高くなる。加えて、太陽電池が発電した電力を蓄電池に蓄電できるため、初期起動電力を確保でき、また、夜間の消灯時等、光量が不足する状況となってもファンを駆動することができる。
【００１１】
請求項２に係る発明によれば、ファンに太陽電池が設けられているため、太陽電池を目立たなくすることができ、外観性能を向上できる。
【００１２】
請求項３に係る発明によれば、充電制御手段は、スイッチ手段によりモータへの給電が停止状態にあるときに、太陽電池の電力を蓄電池に充電するため、効果的に蓄電池に充電することができる。
【００１３】
請求項４に係る発明によれば、モータのロータに羽根部が一体に形成されているため、部品点数を減らすことができて、軽量化が図れる。
【図面の簡単な説明】
【００１４】
【図１】本発明の一実施形態に係る送風機を示す斜視図である。
【図２】本発明の一実施形態に係る送風機を示す一部を断面とした側面図である。
【発明を実施するための形態】
【００１５】
本発明の一実施形態に係る送風機を図面を参照して以下に説明する。本実施形態の送風機１１は、一つのユニットとなっており、室内空間１２の上部に広がる天井１３に設置される。
【００１６】
送風機１１は、取付座部１４と、ハウジング１５と、回転可能なファン１６と、ファン１６を回転駆動するモータ１７と、モータ１７から下方に垂下するペンダント型のスイッチ（スイッチ手段）１８とを有している。送風機１１は、取付座部１４において天井１３に取り付けられる。
【００１７】
モータ１７は、アウタロータモータであり、電力が供給されることによりアウタロータ２２が回転する。アウタロータ２２には、放射状に延出する複数（具体的には３本）の羽根部２３が一体に形成されている。つまり、モータ１７のアウタロータ２２に羽根部２３が一体に形成されてファン１６を構成している。
【００１８】
送風機１１は、天井１３に取り付けられた状態で、複数の羽根部２３を室内空間１２に露出させることになる。これら羽根部２３は、所定方向への回転時に下方向に多くの気流を生じるように水平方向に対し傾斜している。なお、ファン１６は、空気攪拌の対象となる室内空間１２に対し十分なサイズを有しており、例えばφ１００ｍｍを超える外径となっている。
【００１９】
ファン１６は、複数の羽根部２３のそれぞれが、光起電力効果によって光エネルギーを電力に変換する太陽電池で形成されている。なお、この送風機１１は、室内設置型であるため、太陽電池として、室内光等の低照度域でも発電する機能がある色素増感太陽電池（ＤＳＣ）が用いられている。勿論、設置条件等が整えば、有機薄膜太陽電池やシリコン系太陽電池等、すべての太陽電池を使用可能である。また、羽根部２３を形成する太陽電池は、半透明の構成部材で構成されている。加えて、ファン１６およびハウジング１５の表面には、光触媒が塗布されている。
【００２０】
ハウジング１５内には、リチウムイオンバッテリからなる蓄電池２５および制御装置（スイッチ手段，充電制御手段）２６が設けられている。羽根部２３を形成する太陽電池は、制御装置２６を介して蓄電池２５に接続されており、蓄電池２５は、羽根部２３を形成する太陽電池が発電した電力のみを蓄電する。
【００２１】
制御装置２６は、羽根部２３を形成する太陽電池および蓄電池２５からモータ１７への給電と、羽根部２３を形成する太陽電池から蓄電池２５への充電とを制御するものである。制御装置２６は、スイッチ１８への操作入力に応じてモータ１７つまりファン１６の回転を、モータ１７への給電を停止することで停止させる停止状態から、給電量を大きくすることで最高速度で回転させる状態までの間で、多段階に変更制御する。言い換えれば、制御装置２６は、スイッチ１８への操作入力に応じてモータ１７への給電状態を切り替えることになり、その際に、スイッチ１８への操作状況によっては、羽根部２３を形成する太陽電池が発電状態にあってもモータ１７への給電を停止することが可能となっている。さらに、制御装置２６は、基本的に、モータ１７への給電が上記停止状態にあるとき、つまりファン１６の不回転時に、羽根部２３を形成する太陽電池の電力を蓄電池２５に充電する。勿論、モータ１７への給電の電力量が少なく、羽根部２３を形成する太陽電池の発電量がこれを上回る場合には、この上回った分を蓄電池２５に充電する。
【００２２】
そして、本実施形態に係る送風機１１においては、モータ１７が、羽根部２３を形成する太陽電池が発電した電力のみで作動する。勿論、この電力には、羽根部２３を形成する太陽電池が発電し蓄電池２５に蓄電された電力も含んでいる。言い換えれば、この送風機１１は、その全体が、商用電源等の外部電源の供給を受けない自己完結型となっている。よって、この送風機１１を設置する場合には、電力用配線工事が不要となる。加えて、この送風機１１では、電気用のワイヤ類が一切露出していない。
【００２３】
ここで、ハウジング１５、ファン１６およびモータ１７等の構成部材は、アルミニウム等の軽量な部材を主体として構成されており、設置場所への取り付けが容易となっている。また、静粛性の高いモータ１７が用いられており、回転する各部も静音設計がなされている。
【００２４】
なお、モータ１７の電力源となる太陽電池はファン１６に設けられていれば良く、上記のように羽根部２３そのものを太陽電池で形成する以外にも、羽根部２３を形成するベース材に太陽電池を取り付けても良い。また、モータ１７の電力源となる太陽電池を、羽根部２３ではなく、ハウジング１５や、近接する天井１３、内壁等に設置したり、これらを適宜組み合わせるように設置したりしても良い。
【００２５】
このような送風機１１において、スイッチ１８の操作により電源がオフされた状態では、制御装置２６が、羽根部２３を形成する太陽電池および蓄電池２５から電力をモータ１７に給電することはなく、モータ１７およびファン１６は停止している。このような給電の停止状態において、制御装置２６は、羽根部２３を形成する太陽電池の電力を蓄電池２５に充電する。また、スイッチ１８の操作により電源がオンされた状態では、制御装置２６が、羽根部２３を形成する太陽電池および蓄電池２５から電力をスイッチ１８の操作に応じた分だけモータ１７に給電する。これにより、モータ１７が回転しファン１６が回転する。このようにファン１６が回転することで、室内空間１２に露出する複数の羽根部２３が主として下向きの気流を発生させることになり、室内空間１２の空気のよどみを解消する。
【００２６】
以上に述べた本実施形態に係る送風機１１によれば、ファン１６が室内空間１２に露出しているため、室内空間１２での空気攪拌手段として有効となり、効果的に室内空間１２の空気のよどみを解消することができる。また、ファン１６が室内空間１２に露出していることから、ファン１６には埃がたまり難く、その清掃も容易となる。
【００２７】
また、羽根部２３を形成する太陽電池が発電した電力のみでモータ１７が作動するため、商用電源等の外部電源からの電力供給用の配線工事が不要となる。これにより、容易に設置することが可能となる。その結果、例えば複数機の設置が容易に可能となり、設置場所の自由度が高くなる。
【００２８】
加えて、電気用のワイヤ類を減らすことができて、全体としての軽量化が図れるため、この点からも、複数機の設置が容易に可能となり、設置場所の自由度が高くなる。
【００２９】
また、羽根部２３を形成する太陽電池が発電した電力を蓄電池２５に蓄電できるため、初期起動電力を確保でき、また、夜間の消灯時等、光量が不足する状況となってもファン１６を駆動することができる。
【００３０】
加えて、ファン１６に太陽電池が設けられているため、太陽電池を目立たなくすることができ、外観性能を向上できる。しかも、ファン１６の羽根部２３そのものが太陽電池からなっているため、さらに太陽電池を目立たなくすることができる。加えて、羽根部２３を形成する太陽電池が半透明の構成部材で構成されているため、羽根部２３で光を遮光して天井１３や壁に生じる色やけを抑制できる。
【００３１】
また、制御装置２６は、スイッチ１８によりモータ１７への給電が停止状態にあるときに、羽根部２３を形成する太陽電池の電力を蓄電池２５に充電するため、効果的に蓄電池２５を充電することができる。
【００３２】
加えて、モータ１７のアウタロータに複数の羽根部２３を一体に形成してファン１６としているため、部品点数を減らすことができて、軽量化が図れる。
【符号の説明】
【００３３】
１１  送風機
１２  室内空間
１６  ファン
１７  モータ
１８  スイッチ（スイッチ手段）
２３  羽根部（太陽電池）
２５  蓄電池
２６  制御装置（スイッチ手段，充電制御手段）
【図１】
2012158989.tif 000003
【図２】
2012158989.tif 000004